(57)【要約】【課題】本発明の目的は、アンテナとワークとのテスト距離を容易に調整できるアンテナ支持部材を提供することである。【解決手段】本発明のアンテナ支持部材は、台座と、台座に立設されている支持部と、支持部にスライド可能に設置されているスライド機構と、スライド機構に、支持部の長手方向に垂直に移動可能に設置されているアンテナと、を備え、アンテナは、外面に歯部が設けられている取付部を備え、スライド機構は、ハウジング及びハウジング内に設置されているモーターを備え、ハウジングには、取付部を挿入するための導入孔が設けられ、モーターには、取付部の歯部に噛合される駆動滑車が設けられ、モーターの回転によって、アンテナがスライド機構に対して移動して、アンテナの位置を調整する。【選択図】図２
2013236378.tif 000002
【特許請求の範囲】
【請求項１】
台座と、前記台座に立設されている支持部と、前記支持部にスライド可能に設置されているスライド機構と、前記支持部の長手方向に対して垂直に移動可能に前記スライド機構に設置されているアンテナと、を備えているアンテナ支持部材において、
前記アンテナが、外面に歯部が設けられている取付部を備えており、前記スライド機構が、ハウジングと、前記ハウジング内に設置されているモーターとを備えており、前記ハウジングには、前記取付部を挿入するための導入孔が設けられており、前記モーターには、前記取付部の歯部に噛合される駆動滑車が設けられており、
前記モーターの回転に伴って、前記アンテナが前記スライド機構に対して移動することによって、前記アンテナの位置が調整されることを特徴とするアンテナ支持部材。
【請求項２】
前記支持部の下部は、前記台座に固定されて、前記支持部の上部には、貫通溝が設けられ、前記貫通溝には、滑車が設置され、前記支持部の表面には、前記台座に対して垂直な方向に、搬送ベルトが設置され、前記搬送ベルトは、前記滑車を跨るように設置され、且つ前記スライド機構と接続され、前記搬送ベルトの連動によって、前記スライド機構は、第１の方向に沿って、スライドすることを特徴とする請求項１に記載のアンテナ支持部材。
【請求項３】
前記スライド機構は、さらに前記支持部の両側の表面に設置された２つのスライド板を備え、前記ハウジングは、２つの前記スライド板の一側に固定され、前記導入孔は、前記ハウジングの互いに反対側に位置する側板にそれぞれ設けられ、前記ハウジングの内部に、固定滑車が設置され、前記取付部には、前記駆動滑車と離れている一側には、前記固定滑車と噛合される別の歯部が設けられることを特徴とする請求項１に記載のアンテナ支持部材。
【請求項４】
前記取付部の互いに反対側に位置する両端に近接する箇所には、それぞれ位置感知器が設置され、前記取付部は、前記導入孔に沿って移動して、前記モーターは、始終２つの前記位置感知器の間に位置することを特徴とする請求項１に記載のアンテナ支持部材。
【請求項５】
前記支持脚の４つの端部には、それぞれキャスターが設置されていることを特徴とする請求項１に記載のアンテナ支持部材。
【請求項６】
前記支持脚の各キャスターと近接する箇所には、固定部が設けられ、前記固定部は、前記アンテナ支持部材を予備位置に定位させることを特徴とする請求項５に記載のアンテナ支持部材。
【発明の詳細な説明】
【技術分野】
【０００１】
本発明は、アンテナ支持部材に関する。
【背景技術】
【０００２】
電磁波障害（ＥＭＩ）のテストを行う際に、アンテナ支持部材に設置されたアンテナによって、様々な大きさ及び形態のワークに対してテストする必要がある。この場合には、ワークはその大きさ及び形態においてそれぞれ異なるが、ワークとアンテナとのテスト距離を予定のテスト距離に維持させる必要があるので、ワークとアンテナとのテスト距離を体積が異なるワークに対応するように変更させなければならない。このために、アンテナ支持部材を移動させることによって、ワークとアンテナとのテスト距離を予定のテスト距離に維持させる必要がある。従って、操作者の手動によるアンテナ支持部材の移動及び位置決めが毎回必要となるため、使用に不便であると共に誤差が生じるので、テストの精度が低くなってしまうという問題があった。
【発明の概要】
【発明が解決しようとする課題】
【０００３】
以上の問題点に鑑みて、本発明の目的は、アンテナとワークとのテスト距離を容易に調整可能なアンテナ支持部材を提供することである。
【課題を解決するための手段】
【０００４】
上記の課題を解決するために、本発明のアンテナ支持部材は、台座と、台座に立設されている支持部と、支持部にスライド可能に設置されているスライド機構と、スライド機構に、支持部の長手方向に垂直に移動可能に設置されているアンテナと、を備え、アンテナは、外面に歯部が設けられている取付部を備え、スライド機構は、ハウジング及びハウジング内に設置されているモーターを備え、ハウジングには、取付部を挿入するための導入孔が設けられ、モーターには、取付部の歯部に噛合される駆動滑車が設けられ、モーターの回転によって、アンテナがスライド機構に対して移動して、アンテナの位置を調整する。
【発明の効果】
【０００５】
本発明のアンテナ支持部材は、電磁波障害のテストにおいて、大きさの異なるワークをテストする際に、モーターによってアンテナを移動させ、受信部とワークとの距離を調整するように構成されている。従って、操作員の手作業によって受信部の位置を変更する必要がないため、誤差が発生せず、テストの高い精度を確保すると共に、操作性を高めることができる。
【図面の簡単な説明】
【０００６】
【図１】本発明に係るアンテナ支持部材の分解図である。
【図２】図１に表わすアンテナ支持部材の組立図である。
【図３】本発明に係るアンテナ支持部材の使用状態を示す。
【発明を実施するための形態】
【０００７】
本発明に係るアンテナ支持部材について、図面に基づいて以下に詳述する。
【０００８】
図１及び図２に表わすように、本発明に係るアンテナ支持部材１００は、台座１０と、支持脚２０と、支持部３０と、スライド機構４０と、アンテナ６０とを備えている。スライド機構４０は、支持部３０に沿って上下方向にスライド可能に支持部３０に設置されている。アンテナ６０は、アンテナ６０の長手方向が支持部３０の長手方向に対して垂直となるように、スライド機構４０に設置され、且つ、スライド機構４０のスライドに伴って支持部３０に沿って上下方向にスライド可能とされる。
【０００９】
台座１０は、箱状の構造を有しており、底板１０１及び頂板１０３を備えている。頂板１０３には、支持部３０に近接すると共に対向する領域それぞれにおいて貫通孔１０７が形成されている。台座１０の内部には、駆動モーター（図示しない）が設置されている。
【００１０】
支持脚２０は、十字状の形態とされ、台座１０の底板１０１に接続されている。キャスター２１が、支持脚２０の４つの端部それぞれに設置されているので、アンテナ支持部材１００は、キャスター２１によって移動可能とされる。固定部２２が、支持脚２０のキャスター２１に近接する領域に設けられており、固定部２２は、支持脚２０によってアンテナ支持部材１００を予備位置に移動させた際に地面と当接し、アンテナ支持部材１００を予備位置に位置決めすると共に、キャスター２１がスライドすることを防止する。
【００１１】
支持部３０の下部３０２は、支持部３０が頂板１０３に対して垂直に設置されるように、台座１０に固定されている。貫通溝３０５が、支持部３０の上部３０４に支持部３０の長手方向（第１の方向）に沿って設けられており、滑車３０６が、貫通溝３０５内に設置されている。支持部３０の外面には、搬送ベルト３２が、台座１０に対して垂直な方向に設置されており、搬送ベルト３２は、滑車３０６を介して貫通溝３０５及び貫通孔１０７を通じて延在しており、駆動モーターに接続されている。駆動モーターによって搬送ベルト３２が駆動されると、搬送ベルト３２は、台座１０の頂板１０３に対して垂直な方向に沿って回転する。
【００１２】
スライド機構４０は、支持部３０の対向する側面それぞれに設置されている２つのスライド板４２と、２つのスライド板４２の一側に固定されている位置決め部材４６とを備えている。２つのスライド板４２は、搬送ベルト３２に接続されており、且つ、搬送ベルト３２の動作に連動して第１の方向に沿ってスライドする。また、位置決め部材４６は、矩形状のハウジング４６２と、ハウジング４６２の底部に設置されているモーター４６４と、ハウジング４６２の内部に設置されている固定滑車４６５とを備えている。モーター４６４は、固定滑車４６５と対向する駆動滑車４６７を備えている。導入孔４６８が、ハウジング４６２の互いに反対側に位置する２つの側板それぞれに設けられており、２つの導入孔４６８の中心線は、固定滑車４６５と駆動滑車４６７との間において支持部３０に対して垂直に貫通している。
【００１３】
アンテナ６０は、取付部６２と、取付部６２の一端に設置されている受信部６４とを備えている。取付部６２の外面には、歯部６２２が等間隔に且つ対向して設けられている。位置感知器６６が、取付部６２の両端それぞれの近傍に設置されている。取付部６２の歯部６２２は、スライド機構４０のハウジング４６２の２つの導入孔４６８に取付部６２を挿通することによって、固定滑車４６５とモーター４６４の駆動滑車４６７とに噛合される。これにより、取付部６２は、モーター４６４の駆動滑車４６７の回転に伴って回転され、且つ、支持部３０の長手方向に対して垂直な方向（第１の方向の逆方向である第２の方向）に沿って移動する。この際には、モーター４６４の駆動滑車４６７は、２つの位置感知器６６の間に位置しているので、アンテナ６０がスライド機構４０の導入孔４６８から脱離することを防止することができる。取付部６２は、スライド機構４０が第１の方向に沿ってスライドすることに伴って、支持部３０に対して上下方向に移動することができる。
【００１４】
図３に表わすように、アンテナ支持部材１００を使用する際には、例えば、最初にワーク５０とアンテナ６０の受信部６４との距離を１０メートルのテスト距離に設定することによって、ワーク５０に対してテストする。この場合には、支持脚２０によって水平方向（第２の方向）においてアンテナ支持部材１００を移動させ、搬送ベルト３２の動作と連動して、スライド機構４０を第１の方向に沿ってスライドさせることによって、アンテナ６０の受信部６４とワーク５０との距離が１０メートルのテスト距離に設定され、ワーク５０に対してテストすることができる。
【００１５】
異なる大きさの他のワーク５０に対してテストする場合には、他のワーク５０とアンテナ６０の受信部６４との距離が、初期段階において１０メートルのテスト距離になっていない場合がある。この場合には、モーター４６４の駆動滑車４６７を駆動させ、水平方向（第２の方向）において一定の距離で取付部６２を移動させることによって、アンテナ６０の受信部６４と他のワーク５０との距離を１０メートルのテスト距離に設定した後に、ワーク５０に対してテストする。従って、手動によるアンテナ支持部材１００の移動及び位置決めを必要としない。
【００１６】
本発明に係るアンテナ支持部材１００は、電磁波障害のテストにおいて、異なる大きさのワークに対してテストする場合に、モーター４６４によってアンテナ６０を移動させ、受信部６４とワーク５０との距離を調整することができる。従って、操作者の手動による位置決め作業を必要としないので、誤差が発生せず、テストの高い精度を確保すると共に、操作性を高めることができる。
【００１７】
他の実施形態では、固定滑車４６５が設けられていない場合がある。
【符号の説明】
【００１８】
１０  台座
２０  支持脚
２１  キャスター
２２  固定部
３０  支持部
３２  搬送ベルト
４０  スライド機構
４２  スライド板
４６  位置決め部材
５０  ワーク
６０  アンテナ
６２  取付部
６４  受信部
６６  位置感知器
１００  アンテナ支持部材
１０１  底板
１０３  頂板
１０７  貫通孔
３０２  下部
３０４  上部
３０５  貫通溝
３０６  滑車
４６２  ハウジング
４６４  モーター
４６５  固定滑車
４６７  駆動滑車
４６８  導入孔
６２２  歯部
【図１】
2013236378.tif 000003
【図２】
2013236378.tif 000004
【図３】
2013236378.tif 000005